(57)【要約】【課題】素体におけるクラックの発生が抑制され、かつ、耐湿信頼性がより一層向上している電子部品を提供する。【解決手段】素体は、直方体形状を呈している。素体は、実装面とされる主面３ａと、第一方向Ｄ１で主面３ａと対向している主面と、第二方向で互いに対向している一対の側面と、第三方向Ｄ３で互いに対向している一対の端面３ｅと、を有している。外部電極は、第三方向Ｄ３での素体の両端部に配置されている。外部電極は、第二電極層Ｅ２を有している。第二電極層Ｅ２は、主面３ａの一部と端面３ｅの一部と一対の側面の各一部とを連続して覆うように形成されている。第二電極層Ｅ２の第三方向Ｄ３での長さＬ１は、第二電極層Ｅ２の第一方向Ｄ１での長さＬ２より小さい。【選択図】図９
2019134068.tif 000002
【特許請求の範囲】
【請求項１】
直方体形状を呈しており、実装面とされる第一主面と、第一方向で前記第一主面と対向している第二主面と、第二方向で互いに対向している一対の側面と、第三方向で互いに対向している一対の端面と、を有している素体と、
前記第三方向での前記素体の両端部にそれぞれ配置されている外部電極と、を備え、
前記外部電極は、前記第一主面の一部と前記端面の一部と前記一対の側面の各一部とを連続して覆うように形成されている導電性樹脂層を有しており、
前記導電性樹脂層の前記第三方向での長さは、前記導電性樹脂層の前記第一方向での長さより小さい、電子部品。
【請求項２】
前記外部電極は、前記素体と前記導電性樹脂層との間に位置するように前記素体の前記端部上に配置されている焼結金属層を有し、
前記導電性樹脂層は、前記焼結金属層上と前記第一主面の前記一部上とに配置されており、
前記第三方向での前記導電性樹脂層の前記第一主面上に位置する部分における最大厚み位置から前記導電性樹脂層の端縁までの長さは、前記第三方向での前記導電性樹脂層の前記最大厚み位置から前記焼結金属層の端縁までの長さより大きい、請求項１に記載の電子部品。
【請求項３】
前記導電性樹脂層の前記第一主面上に位置する前記部分の厚みは、前記最大厚み位置から前記導電性樹脂層の端縁に向けて徐々に小さくなっている、請求項２に記載の電子部品。
【請求項４】
前記導電性樹脂層の前記第一方向での前記長さは、前記第三方向での前記焼結金属層の前記端縁から前記導電性樹脂層の前記端縁までの長さより大きい、請求項２又は３に記載の電子部品。
【請求項５】
前記導電性樹脂層の前記端面上に位置する部分の面積は、前記導電性樹脂層の前記第一主面上に位置する部分の面積より大きい、請求項１〜４のいずれか一項に記載の電子部品。
【請求項６】
前記導電性樹脂層の前記第一主面上に位置する部分の最大厚みは、前記導電性樹脂層の前記端面上に位置する部分の最大厚みより大きい、請求項１〜５のいずれか一項に記載の電子部品。
【発明の詳細な説明】
【技術分野】
【０００１】
本発明は、電子部品に関する。
【背景技術】
【０００２】
直方体形状を呈しており、実装面とされる第一主面と、第一方向で第一主面と対向している第二主面と、第二方向で互いに対向している一対の側面と、第三方向で互いに対向している一対の端面と、を有している素体と、第三方向での素体の両端部にそれぞれ配置されている外部電極と、を備えている電子部品が知られている（たとえば、特許文献１参照）。特許文献１に記載された電子部品では、外部電極は、素体の端部上に配置されている焼結金属層と、焼結金属層上に配置されている導電性樹脂層と、を有している。
【先行技術文献】
【特許文献】
【０００３】
【特許文献１】特開平０８−１０７０３８号公報
【発明の概要】
【発明が解決しようとする課題】
【０００４】
本発明の一つの態様は、素体におけるクラックの発生が抑制され、かつ、耐湿信頼性がより一層向上している電子部品を提供することを目的とする。
【課題を解決するための手段】
【０００５】
本発明の一つの態様に係る電子部品は、直方体形状を呈している素体を備えている。素体は、実装面とされる第一主面と、第一方向で第一主面と対向している第二主面と、第二方向で互いに対向している一対の側面と、第三方向で互いに対向している一対の端面と、を有している。電子部品は、第三方向での素体の両端部にそれぞれ配置されている外部電極を備えている。外部電極は、導電性樹脂層を有している。導電性樹脂層は、第一主面の一部と端面の一部と一対の側面の各一部とを連続して覆うように形成されている。導電性樹脂層の第三方向での長さは、導電性樹脂層の第一方向での長さより小さい。
【０００６】
電子部品が電子機器（たとえば、回路基板又は電子部品）にはんだ実装されている場合、電子機器から電子部品に作用する外力が、素体に応力として作用することがある。この場合、素体にクラックが発生するおそれがある。外力は、はんだ実装の際に形成されたはんだフィレットから外部電極を通して素体に作用する。外力は、素体における、第一主面の一部と端面の一部と一対の側面の各一部とで画成される領域に作用する傾向がある。
【０００７】
上記一つの態様に係る電子部品では、導電性樹脂層が第一主面の一部と端面の一部と一対の側面の各一部とを連続して覆うように形成されているので、電子機器から電子部品に作用する外力が素体に作用し難い。したがって、上記一つの態様では、クラックが素体に発生するのが抑制される。
【０００８】
素体と導電性樹脂層との間の領域は、水分が浸入する経路となるおそれがある。素体と導電性樹脂層との間の領域から水分が浸入すると、電子部品の耐久性が低下する。上記一つの態様では、導電性樹脂層が、端面全体と一対の主面の各一部と一対の側面の各一部とを連続して覆うように形成されている構成に比して、水分が浸入する経路が少ない。したがって、上記一つの態様では、耐湿信頼性が向上している。
【０００９】
上記一つの態様では、導電性樹脂層の第三方向での長さが、導電性樹脂層の第一方向での長さより小さい。したがって、上記一つの態様では、導電性樹脂層の第三方向での長さが、導電性樹脂層の第一方向での長さ以上である構成に比して、水分が浸入する経路がより一層少ないので、耐湿信頼性がより一層向上している。
【００１０】
上記一つの態様では、外部電極は、素体と導電性樹脂層との間に位置するように素体の端部上に配置されている焼結金属層を有していてもよい。導電性樹脂層は、焼結金属層上と第一主面の一部上とに配置されていてもよい。第三方向での導電性樹脂層の第一主面上に位置する部分における最大厚み位置から導電性樹脂層の端縁までの長さは、第三方向での導電性樹脂層の最大厚み位置から焼結金属層の端縁までの長さより大きくてもよい。素体に作用する応力は、焼結金属層の端縁に集中する傾向がある。第三方向での導電性樹脂層の第一主面上に位置する部分における最大厚み位置から導電性樹脂層の端縁までの長さが、第三方向での導電性樹脂層の最大厚み位置から焼結金属層の端縁までの長さより大きい構成では、第三方向での導電性樹脂層の最大厚み位置から導電性樹脂層の端縁までの長さが、第三方向での導電性樹脂層の最大厚み位置から焼結金属層の端縁までの長さ以下である構成に比して、導電性樹脂層の主面上に位置する部分の体積が大きい。したがって、本構成では、焼結金属層の端縁に集中する応力が低減される。この結果、クラックが素体に発生するのがより一層抑制される。
【００１１】
上記一つの態様では、導電性樹脂層の第一主面上に位置する部分の厚みは、最大厚み位置から導電性樹脂層の端縁に向けて徐々に小さくなっていてもよい。
【００１２】
導電性樹脂層の端縁に外力が作用する場合、導電性樹脂層は、端縁を起点として、素体から剥がれるおそれがある。導電性樹脂層の第一主面上に位置する部分の厚みが、最大厚み位置から導電性樹脂層の端縁に向けて徐々に小さくなっている構成では、導電性樹脂層の厚みが一定である構成に比して、導電性樹脂層の端縁に外力が作用し難い。したがって、本構成では、導電性樹脂層が素体から剥がれ難い。
【００１３】
上記一つの態様では、導電性樹脂層の第一方向での長さは、第三方向での焼結金属層の端縁から導電性樹脂層の端縁までの長さより大きくてもよい。この構成では、導電性樹脂層の第一方向での長さが、第三方向での焼結金属層の端縁から導電性樹脂層の端縁までの長さ以下の構成に比して、外部電極の端面上に位置している部分に作用した外力が素体に応力として作用することが抑制される。したがって、本構成では、クラックが素体に発生するのがより一層抑制される。
【００１４】
上記一つの態様では、導電性樹脂層の端面上に位置する部分の面積は、導電性樹脂層の第一主面上に位置する部分の面積より大きくてもよい。この構成では、導電性樹脂層の端面上に位置する部分の面積が、導電性樹脂層の第一主面上に位置する部分の面積以下である構成に比して、外部電極の端面上に位置している部分に作用した外力が素体に応力として作用することが抑制される。したがって、本構成では、クラックが素体に発生するのがより一層抑制される。
【００１５】
上記一つの態様では、導電性樹脂層の第一主面上に位置する部分の最大厚みは、導電性樹脂層の端面上に位置する部分の最大厚みより大きくてもよい。この構成では、導電性樹脂層の第一主面上に位置する部分の最大厚みが、導電性樹脂層の端面上に位置する部分の最大厚み以下である構成に比して、焼結金属層の端縁に集中する応力が低減される。したがって、本構成では、クラックが素体に発生するのがより一層抑制される。
【発明の効果】
【００１６】
本発明の一つの態様によれば、素体におけるクラックの発生が抑制され、かつ、耐湿信頼性がより一層向上している電子部品が提供される。
【図面の簡単な説明】
【００１７】
【図１】一実施形態に係る積層コンデンサの斜視図である。
【図２】本実施形態に係る積層コンデンサの側面図である。
【図３】本実施形態に係る積層コンデンサの断面構成を示す図である。
【図４】本実施形態に係る積層コンデンサの断面構成を示す図である。
【図５】本実施形態に係る積層コンデンサの断面構成を示す図である。
【図６】素体、第一電極層、及び第二電極層を示す平面図である。
【図７】素体、第一電極層、及び第二電極層を示す側面図である。
【図８】素体、第一電極層、及び第二電極層を示す端面図である。
【図９】第一電極層及び第二電極層の断面構成を示す図である。
【図１０】本実施形態に係る積層コンデンサの実装構造を示す図である。
【発明を実施するための形態】
【００１８】
以下、添付図面を参照して、本発明の実施形態について詳細に説明する。なお、説明において、同一要素又は同一機能を有する要素には、同一符号を用いることとし、重複する説明は省略する。
【００１９】
図１〜図９を参照して、本実施形態に係る積層コンデンサＣ１の構成を説明する。図１は、本実施形態に係る積層コンデンサの斜視図である。図２は、本実施形態に係る積層コンデンサの側面図である。図３、図４、及び図５は、本実施形態に係る積層コンデンサの断面構成を示す図である。図６は、素体、第一電極層、及び第二電極層を示す平面図である。図７は、素体、第一電極層、及び第二電極層を示す側面図である。図８は、素体、第一電極層、及び第二電極層を示す端面図である。図９は、第一電極層及び第二電極層の断面構成を示す図である。本実施形態では、電子部品は、たとえば、積層コンデンサＣ１である。
【００２０】
積層コンデンサＣ１は、図１に示されるように、直方体形状を呈している素体３と、一対の外部電極５と、を備えている。一対の外部電極５は、素体３の外表面に配置されている。一対の外部電極５は、互いに離間している。直方体形状は、角部及び稜線部が面取りされている直方体の形状、及び、角部及び稜線部が丸められている直方体の形状を含む。
【００２１】
素体３は、互いに対向している一対の主面３ａ，３ｂと、互いに対向している一対の側面３ｃと、互いに対向している一対の端面３ｅと、を有している。一対の主面３ａ，３ｂ及び一対の側面３ｃは、長方形状を呈している。一対の主面３ａ，３ｂが対向している方向が、第一方向Ｄ１である。一対の側面３ｃが対向している方向が、第二方向Ｄ２である。一対の端面３ｅが対向している方向が、第三方向Ｄ３である。積層コンデンサＣ１は、電子機器（たとえば、回路基板又は電子部品）に、はんだ実装される。積層コンデンサＣ１では、主面３ａが、電子機器に対向する実装面とされる。
【００２２】
第一方向Ｄ１は、各主面３ａ，３ｂに直交する方向であり、第二方向Ｄ２と直交している。第三方向Ｄ３は、各主面３ａ，３ｂと各側面３ｃとに平行な方向であり、第一方向Ｄ１と第二方向Ｄ２とに直交している。第二方向Ｄ２は、各側面３ｃに直交する方向であり、第三方向Ｄ３は、各端面３ｅに直交する方向である。本実施形態では、素体３の第三方向Ｄ３での長さは、素体３の第一方向Ｄ１での長さより大きく、かつ、素体３の第二方向Ｄ２での長さより大きい。第三方向Ｄ３が、素体３の長手方向である。
【００２３】
一対の側面３ｃは、一対の主面３ａ，３ｂを連結するように第一方向Ｄ１に延在している。一対の側面３ｃは、第三方向Ｄ３にも延在している。一対の端面３ｅは、一対の主面３ａ，３ｂを連結するように第一方向Ｄ１に延在している。一対の端面３ｅは、第二方向Ｄ２にも延在している。
【００２４】
素体３は、一対の稜線部３ｇと、一対の稜線部３ｈと、四つの稜線部３ｉと、一対の稜線部３ｊと、一対の稜線部３ｋと、を有している。稜線部３ｇは、端面３ｅと主面３ａとの間に位置している。稜線部３ｈは、端面３ｅと主面３ｂとの間に位置している。稜線部３ｉは、端面３ｅと側面３ｃとの間に位置している。稜線部３ｊは、主面３ａと側面３ｃとの間に位置している。稜線部３ｋは、主面３ｂと側面３ｃとの間に位置している。本実施形態では、各稜線部３ｇ，３ｈ，３ｉ，３ｊ，３ｋは、湾曲するように丸められており、素体３には、いわゆるＲ面取り加工が施されている。各稜線部３ｇ，３ｈ，３ｉ，３ｊ，３ｋは、所定の曲率半径を有している湾曲面である。本実施形態では、各稜線部３ｇ，３ｈ，３ｉ，３ｊ，３ｋ（各湾曲面）の曲率半径は、略同じである。各稜線部３ｇ，３ｈ，３ｉ，３ｊ，３ｋ（各湾曲面）の曲率半径は、異なっていてもよい。
【００２５】
端面３ｅと主面３ａとは、稜線部３ｇを介して、間接的に隣り合っている。端面３ｅと主面３ｂとは、稜線部３ｈを介して、間接的に隣り合っている。端面３ｅと側面３ｃとは、稜線部３ｉを介して、間接的に隣り合っている。主面３ａと側面３ｃとは、稜線部３ｊを介して、間的に隣り合っている。主面３ｂと側面３ｃとは、稜線部３ｋを介して、間接的に隣り合っている。
【００２６】
素体３は、第二方向Ｄ２に複数の誘電体層が積層されて構成されている。素体３は、積層されている複数の誘電体層を有している。素体３では、複数の誘電体層の積層方向が第二方向Ｄ２と一致する。各誘電体層は、たとえば、誘電体材料を含むセラミックグリーンシートの焼結体から構成されている。誘電体材料は、たとえば、ＢａＴｉＯ３系、Ｂａ(Ｔｉ，Ｚｒ)Ｏ３系、又は（Ｂａ，Ｃａ）ＴｉＯ３系などの誘電体セラミックを含んでいる。実際の素体３では、各誘電体層は、各誘電体層の間の境界が視認できない程度に一体化されている。素体３では、複数の誘電体層の積層方向が第一方向Ｄ１と一致していてもよい。
【００２７】
積層コンデンサＣ１は、図３〜図６に示されるように、複数の内部電極７と複数の内部電極９とを備えている。各内部電極７，９は、素体３内に配置されている内部導体である。内部電極７，９は、積層型の電子部品の内部電極として通常用いられる導電性材料からなる。導電性材料は、卑金属（たとえば、Ｎｉ又はＣｕ）を含んでいる。内部電極７，９は、上記導電性材料を含む導電性ペーストの焼結体として構成されている。本実施形態では、各内部電極７，９は、Ｎｉからなる。
【００２８】
内部電極７と内部電極９とは、第二方向Ｄ２において異なる位置（層）に配置されている。内部電極７と内部電極９とは、素体３内において、第二方向Ｄ２に間隔を有して対向するように交互に配置されている。内部電極７と内部電極９とは、互いに極性が異なる。複数の誘電体層の積層方向が第一方向Ｄ１である場合、内部電極７と内部電極９とは、第一方向Ｄ１において異なる位置（層）に配置される。内部電極７，９は、対応する端面３ｅに露出している一端を有している。複数の内部電極７と複数の内部電極９とは、第二方向Ｄ２で交互に並んでいる。各内部電極７，９は、各主面３ａ，３ｂと略直交している面内に位置している。内部電極７と内部電極９とは、第二方向Ｄ２で互いに対向している。内部電極７と内部電極９とが対向している方向（第二方向Ｄ２）は、各主面３ａ，３ｂに直交している方向（第一方向Ｄ１）と直交している。
【００２９】
外部電極５は、図２にも示されるように、素体３の第三方向Ｄ３での両端部にそれぞれ配置されている。各外部電極５は、素体における、対応する端面３ｅ側に配置されている。外部電極５は、図３〜図６に示されるように、電極部５ａ，５ｂ，５ｃ，５ｅを有している。電極部５ａは、主面３ａ上及び稜線部３ｇ上に配置されている。電極部５ｂは、稜線部３ｈ上に配置されている。電極部５ｃは、各稜線部３ｉ上に配置されている。電極部５ｅは、対応する端面３ｅ上に配置されている。外部電極５は、稜線部３ｊ上に配置されている電極部も有している。電極部５ｃは、側面３ｃ上にも配置されている。
【００３０】
外部電極５は、一つの主面３ａ、一つの端面３ｅ、及び一対の側面３ｃの四つの面、並びに、稜線部３ｇ，３ｈ，３ｉ，３ｊに形成されている。互いに隣り合う電極部５ａ，５ｂ，５ｃ，５ｅ同士は、接続されており、電気的に接続されている。本実施形態では、外部電極５は、主面３ｂ上に意図的に形成されていない。電極部５ｅは、対応する内部電極７，９の端面３ｅに露出した一端をすべて覆っていると共に、対応する内部電極７，９と直接的に接続されている。各外部電極５は、対応する内部電極７，９と電気的に接続されている。
【００３１】
外部電極５は、図３〜図６に示されるように、第一電極層Ｅ１、第二電極層Ｅ２、第三電極層Ｅ３、及び第四電極層Ｅ４を有している。第四電極層Ｅ４は、外部電極５の最外層を構成している。各電極部５ａ，５ｃ，５ｅは、第一電極層Ｅ１、第二電極層Ｅ２、第三電極層Ｅ３、及び第四電極層Ｅ４を有している。電極部５ｂは、第一電極層Ｅ１、第三電極層Ｅ３、及び第四電極層Ｅ４を有している。
【００３２】
電極部５ａの第一電極層Ｅ１は、稜線部３ｇ上に配置されており、主面３ａ上には配置されていない。電極部５ａの第一電極層Ｅ１は、稜線部３ｇの全体と接している。主面３ａは、第一電極層Ｅ１に覆われておらず、第一電極層Ｅ１から露出している。電極部５ａの第二電極層Ｅ２は、第一電極層Ｅ１上及び主面３ａ上に配置されている。電極部５ａでは、第二電極層Ｅ２が、第一電極層Ｅ１の全体を覆っている。電極部５ａでは、第二電極層Ｅ２は、主面３ａの一部（主面３ａにおける端面３ｅ寄りの一部領域）と第一電極層Ｅ１の全体とに接している。電極部５ａは、稜線部３ｇ上では四層構造を有しており、主面３ａ上では三層構造を有している。
【００３３】
電極部５ａの第二電極層Ｅ２は、稜線部３ｇの全体と主面３ａの一部（主面３ａにおける端面３ｅ寄りの一部領域）とを覆うように形成されている。電極部５ａの第二電極層Ｅ２は、第一電極層Ｅ１が第二電極層Ｅ２と稜線部３ｇとの間に位置するように、第一電極層Ｅ１と素体３とに形成されている。電極部５ａの第二電極層Ｅ２は、稜線部３ｇの全体を間接的に覆うように形成されている。電極部５ａの第二電極層Ｅ２は、稜線部３ｇに形成されている第一電極層Ｅ１の全体を直接覆うように形成されている。電極部５ａの第二電極層Ｅ２は、主面３ａの一部を直接覆うように形成されている。
【００３４】
電極部５ｂの第一電極層Ｅ１は、稜線部３ｈ上に配置されており、主面３ｂ上には配置されていない。電極部５ｂの第一電極層Ｅ１は、稜線部３ｈの全体と接している。主面３ｂは、第一電極層Ｅ１に覆われておらず、第一電極層Ｅ１から露出している。電極部５ｂは、第二電極層Ｅ２を有していない。主面３ｂは、第二電極層Ｅ２に覆われておらず、第二電極層Ｅ２から露出している。第二電極層Ｅ２は、主面３ｂに形成されていない。電極部５ｂは、三層構造を有している。
【００３５】
電極部５ｃの第一電極層Ｅ１は、稜線部３ｉ上に配置されており、側面３ｃ上には配置されていない。電極部５ｃの第一電極層Ｅ１は、稜線部３ｉの全体と接している。側面３ｃは、第一電極層Ｅ１に覆われておらず、第一電極層Ｅ１から露出している。電極部５ｃの第二電極層Ｅ２は、第一電極層Ｅ１上及び側面３ｃ上に配置されている。電極部５ｃでは、第二電極層Ｅ２が、第一電極層Ｅ１の一部を覆っている。電極部５ｃでは、第二電極層Ｅ２は、側面３ｃの一部と第一電極層Ｅ１の一部とに接している。電極部５ｃの第二電極層Ｅ２は、側面３ｃ上に位置している部分を有する。
【００３６】
電極部５ｃの第二電極層Ｅ２は、稜線部３ｉの一部（稜線部３ｉにおける主面３ａ寄りの一部領域）と側面３ｃの一部（側面３ｃにおける主面３ａ及び端面３ｅ寄りの角領域）とを覆うように形成されている。電極部５ｃの第二電極層Ｅ２は、第一電極層Ｅ１が第二電極層Ｅ２と稜線部３ｉの一部との間に位置するように、第一電極層Ｅ１と素体３とに形成されている。電極部５ｃの第二電極層Ｅ２は、稜線部３ｉの一部を間接的に覆うように形成されている。電極部５ｃの第二電極層Ｅ２は、稜線部３ｉに形成されている第一電極層Ｅ１の一部を直接覆うように形成されている。電極部５ｃの第二電極層Ｅ２は、側面３ｃの一部を直接覆うように形成されている。
【００３７】
電極部５ｃは、領域５ｃ１と領域５ｃ２とを有している。本実施形態では、電極部５ｃは、二つの領域５ｃ１，５ｃ２のみを有している。領域５ｃ２は、領域５ｃ１よりも主面３ａ寄りに位置している。領域５ｃ１は、第一電極層Ｅ１、第三電極層Ｅ３、及び第四電極層Ｅ４を有している。領域５ｃ１は、第二電極層Ｅ２を有していない。領域５ｃ１は、三層構造を有している。領域５ｃ２は、第一電極層Ｅ１、第二電極層Ｅ２、第三電極層Ｅ３、及び第四電極層Ｅ４を有している。領域５ｃ２は、稜線部３ｉ上では四層構造を有しており、側面３ｃ上では三層構造を有している。領域５ｃ１は、第一電極層Ｅ１が第二電極層Ｅ２から露出している領域である。領域５ｃ２は、第一電極層Ｅ１が第二電極層Ｅ２で覆われている領域である。
【００３８】
電極部５ｅの第一電極層Ｅ１は、端面３ｅ上に配置されている。電極部５ｅでは、第一電極層Ｅ１が、端面３ｅの全体を覆っている。電極部５ｅの第一電極層Ｅ１は、端面３ｅの全体と接している。電極部５ｅの第二電極層Ｅ２は、第一電極層Ｅ１上に配置されており、第一電極層Ｅ１の一部が第二電極層Ｅ２で覆われている。電極部５ｅでは、第二電極層Ｅ２は、第一電極層Ｅ１の一部と接している。電極部５ｅの第二電極層Ｅ２は、端面３ｅの一部（端面３ｅにおける主面３ａ寄りの一部領域）を覆うように形成されている。電極部５ｅの第二電極層Ｅ２は、第一電極層Ｅ１が第二電極層Ｅ２と端面３ｅの一部との間に位置するように、第一電極層Ｅ１に形成されている。電極部５ｅの第二電極層Ｅ２は、端面３ｅの一部を間接的に覆うように形成されている。電極部５ｅの第二電極層Ｅ２は、端面３ｅに形成されている第一電極層Ｅ１の一部を直接覆うように形成されている。電極部５ｅの第一電極層Ｅ１は、対応する内部電極７，９の一端と接続されるように端面３ｅに形成されている。
【００３９】
電極部５ｅは、領域５ｅ１と領域５ｅ２とを有している。本実施形態では、電極部５ｅは、二つの領域５ｅ１，５ｅ２のみを有している。領域５ｅ２は、領域５ｅ１よりも主面３ａ寄りに位置している。領域５ｅ１は、第一電極層Ｅ１、第三電極層Ｅ３、及び第四電極層Ｅ４を有している。領域５ｅ１は、第二電極層Ｅ２を有していない。領域５ｅ１は、三層構造を有している。領域５ｅ２は、第一電極層Ｅ１、第二電極層Ｅ２、第三電極層Ｅ３、及び第四電極層Ｅ４を有している。領域５ｅ２は、四層構造を有している。領域５ｅ１は、第一電極層Ｅ１が第二電極層Ｅ２から露出している領域である。領域５ｅ２は、第一電極層Ｅ１が第二電極層Ｅ２で覆われている領域である。
【００４０】
第一電極層Ｅ１は、素体３の表面に付与された導電性ペーストを焼き付けることにより形成されている。第一電極層Ｅ１は、端面３ｅ及び稜線部３ｇ，３ｈ，３ｉを覆うように形成されている。第一電極層Ｅ１は、導電性ペーストに含まれる金属成分（金属粉末）が焼結して形成された層である。第一電極層Ｅ１は、素体３に形成された焼結金属層である。第一電極層Ｅ１は、一対の主面３ａ，３ｂ及び一対の側面３ｃに意図的に形成されていない。たとえば製造誤差などにより、第一電極層Ｅ１が意図せず主面３ａ，３ｂ及び側面３ｃに形成されていてもよい。本実施形態では、第一電極層Ｅ１は、Ｃｕからなる焼結金属層である。第一電極層Ｅ１は、Ｎｉからなる焼結金属層であってもよい。第一電極層Ｅ１は、卑金属を含んでいる。導電性ペーストは、Ｃｕ又はＮｉからなる粉末、ガラス成分、有機バインダ、及び有機溶剤を含んでいる。
【００４１】
第二電極層Ｅ２は、第一電極層Ｅ１上、主面３ａ上、及び一対の側面３ｃ上に付与された導電性樹脂ペーストを硬化させることにより形成されている。第二電極層Ｅ２は、第一電極層Ｅ１上と素体３上とに形成されている。本実施形態では、第二電極層Ｅ２は、第一電極層Ｅ１の一部領域を覆うように形成されている。第一電極層Ｅ１の上記一部領域は、電極部５ａ、電極部５ｃの領域５ｃ２、及び電極部５ｅの領域５ｅ２に対応する領域である。第二電極層Ｅ２は、稜線部３ｊの一部領域を直接覆うように形成されている。稜線部３ｊの上記一部領域は、稜線部３ｊにおける端面３ｅ寄りの一部領域である。第二電極層Ｅ２は、稜線部３ｊの一部と接している。第一電極層Ｅ１は、第二電極層Ｅ２を形成するための下地金属層である。第二電極層Ｅ２は、第一電極層Ｅ１上に形成された導電性樹脂層である。
【００４２】
導電性樹脂ペーストは、樹脂（たとえば、熱硬化性樹脂）、導電性材料（たとえば、金属粉末）、及び有機溶媒を含んでいる。金属粉末は、たとえば、Ａｇ粉末又はＣｕ粉末を含んでいる。熱硬化性樹脂は、たとえば、フェノール樹脂、アクリル樹脂、シリコーン樹脂、エポキシ樹脂、又はポリイミド樹脂を含んでいる。
【００４３】
第三電極層Ｅ３は、第二電極層Ｅ２上と、第一電極層Ｅ１（第二電極層Ｅ２から露出している部分）上とにめっき法により形成されている。本実施形態では、第三電極層Ｅ３は、第一電極層Ｅ１上及び第二電極層Ｅ２上にＮｉめっきにより形成されたＮｉめっき層である。第三電極層Ｅ３は、Ｓｎめっき層、Ｃｕめっき層、又はＡｕめっき層であってもよい。第三電極層Ｅ３は、Ｎｉ、Ｓｎ、Ｃｕ、又はＡｕを含んでいる。
【００４４】
第四電極層Ｅ４は、第三電極層Ｅ３上にめっき法により形成されている。本実施形態では、第四電極層Ｅ４は、第三電極層Ｅ３上にＳｎめっきにより形成されたＳｎめっき層である。第四電極層Ｅ４は、Ｃｕめっき層又はＡｕめっき層であってもよい。第四電極層Ｅ４は、Ｓｎ、Ｃｕ、又はＡｕを含んでいる。第三電極層Ｅ３と第四電極層Ｅ４とは、第二電極層Ｅ２に形成されるめっき層を構成している。本実施形態では、第二電極層Ｅ２に形成されるめっき層は、二層構造を有している。
【００４５】
各電極部５ａ，５ｂ，５ｃ，５ｅが有している第一電極層Ｅ１は、一体的に形成されている。各電極部５ａ，５ｃ，５ｅが有している第二電極層Ｅ２は、一体的に形成されている。各電極部５ａ，５ｂ，５ｃ，５ｅが有している第三電極層Ｅ３は、一体的に形成されている。各電極部５ａ，５ｂ，５ｃ，５ｅが有している第四電極層Ｅ４は、一体的に形成されている。
【００４６】
第一電極層Ｅ１（電極部５ｅの第一電極層Ｅ１）は、対応する内部電極７，９と接続されるように、端面３ｅに形成されている。第一電極層Ｅ１は、端面３ｅの全体、稜線部３ｇの全体、稜線部３ｈの全体、及び稜線部３ｉの全体を覆うように形成されている。第二電極層Ｅ２（電極部５ａ，５ｃ，５ｅの第二電極層Ｅ２）は、主面３ａの一部、端面３ｅの一部、及び一対の側面３ｃの各一部を連続して覆うように形成されている。第二電極層Ｅ２（電極部５ａ，５ｃ，５ｅの第二電極層Ｅ２）は、稜線部３ｇの全体、稜線部３ｉの一部、及び稜線部３ｊの一部を覆うように形成されている。第二電極層Ｅ２は、主面３ａの一部、端面３ｅの一部、一対の側面３ｃの各一部、稜線部３ｇの全体、稜線部３ｉの一部、及び稜線部３ｊの一部にそれぞれ対応する部分を有している。第一電極層Ｅ１（電極部５ｅの第一電極層Ｅ１）は、対応する内部電極７，９と直接的に接続されている。
【００４７】
第一電極層Ｅ１（電極部５ａ，５ｂ，５ｃ，５ｅの第一電極層Ｅ１）は、第二電極層Ｅ２（電極部５ａ，５ｃ，５ｅの第二電極層Ｅ２）で覆われている領域と、第二電極層Ｅ２（電極部５ａ，５ｃ，５ｅの第二電極層Ｅ２）で覆われていない領域とを有している。第三電極層Ｅ３及び第四電極層Ｅ４は、第一電極層Ｅ１の第二電極層Ｅ２で覆われていない領域と、第二電極層Ｅ２とを覆うように形成されている。
【００４８】
図６に示されるように、第一方向Ｄ１から見たとき、第一電極層Ｅ１（電極部５ａの第一電極層Ｅ１）の全体が第二電極層Ｅ２で覆われている。第一方向Ｄ１から見たとき、第一電極層Ｅ１（電極部５ａの第一電極層Ｅ１）は、第二電極層Ｅ２から露出していない。
【００４９】
図７に示されているように、第二方向Ｄ２から見たとき、第一電極層Ｅ１の主面３ａ寄りの端部領域（領域５ｃ２が有する第一電極層Ｅ１）が、第二電極層Ｅ２で覆われている。第二方向Ｄ２から見たとき、第二電極層Ｅ２の端縁Ｅ２ｅｃが、第一電極層Ｅ１の端縁Ｅ１ｅｃと交差している。第二方向Ｄ２から見たとき、第一電極層Ｅ１の主面３ｂ寄りの端部領域（領域５ｃ１が有する第一電極層Ｅ１）は、第二電極層Ｅ２から露出している。側面３ｃ上に位置している第二電極層Ｅ２は、第二電極層Ｅ２と極性が異なる内部電極７，９と第二方向Ｄ２で対向している。
【００５０】
図８に示されるように、第三方向Ｄ３から見たとき、第一電極層Ｅ１の主面３ａ寄りの端部領域（領域５ｅ２が有する第一電極層Ｅ１）が、第二電極層Ｅ２で覆われている。第三方向Ｄ３から見たとき、第二電極層Ｅ２の端縁が、第一電極層Ｅ１上に位置している。第三方向Ｄ３から見たとき、第一電極層Ｅ１の主面３ｂ寄りの端部領域（領域５ｅ１が有する第一電極層Ｅ１）は、第二電極層Ｅ２から露出している。第三方向Ｄ３から見たとき、端面３ｅ及び稜線部３ｇ上に位置している第二電極層Ｅ２の面積は、端面３ｅ及び稜線部３ｇ上に位置している第一電極層Ｅ１の面積よりも小さい。
【００５１】
各内部電極７，９の一端は、図８に示されるように、第三方向Ｄ３から見たとき、第二電極層Ｅ２と重なる第一領域と、第二電極層Ｅ２と重ならない第二領域とを有している。第一領域は、第二領域よりも、第一方向Ｄ１で主面３ａ寄りに位置している。領域５ｅ２が有する第一電極層Ｅ１は、対応する第一領域と接続されている。領域５ｅ１が有する第一電極層Ｅ１は、対応する第二領域と接続されている。
【００５２】
本実施形態では、第二電極層Ｅ２は、主面３ａの一部のみ、端面３ｅの一部のみ、及び一対の側面３ｃの各一部のみを連続して覆うように形成されている。第二電極層Ｅ２は、稜線部３ｇの全体、稜線部３ｉの一部のみ、及び稜線部３ｊの一部のみを覆うように形成されている。第一電極層Ｅ１の、稜線部３ｉを覆うように形成されている部分の一部（たとえば、領域５ｃ１が有する第一電極層Ｅ１）は、第二電極層Ｅ２から露出している。第一電極層Ｅ１は、対応する内部電極７，９の第一領域と接続されるように端面３ｅに形成されている。本実施形態では、第一電極層Ｅ１は、対応する内部電極７，９の第二領域とも接続されるように端面３ｅに形成されている。
【００５３】
第三方向Ｄ３での領域５ｃ２の幅は、図２に示されるように、主面３ａ（電極部５ａ）から離れるにしたがって小さくなっている。第一方向Ｄ１での領域５ｃ２の幅は、端面３ｅ（電極部５ｅ）から離れるにしたがって小さくなっている。本実施形態では、第二方向Ｄ２から見たとき、領域５ｃ２の端縁は、略円弧状である。第二方向Ｄ２から見たとき、領域５ｃ２は、略扇形状を呈している。本実施形態では、図７に示されるように、第二方向Ｄ２から見たときの第二電極層Ｅ２の幅が、主面３ａから離れるにしたがって小さくなっている。第二方向Ｄ２から見たとき、第一方向Ｄ１での第二電極層Ｅ２の長さは、端面３ｅから第三方向Ｄ３に離れるにしたがって小さくなっている。第二方向Ｄ２から見たとき、第二電極層Ｅ２における側面３ｃ上に位置している部分の第一方向Ｄ１での長さは、素体３の端部から第三方向Ｄ３に離れるにしたがって小さくなっている。第二電極層Ｅ２の端縁Ｅ２ｅｃは、図７に示されるように、略円弧状である。
【００５４】
図９に示されるように、第二電極層Ｅ２の第三方向Ｄ３での長さＬ１は、第二電極層Ｅ２の第一方向Ｄ１での長さＬ２より小さい。長さＬ１は、たとえば、以下のように規定される。長さＬ１は、電極部５ｅ（領域５ｅ２）の第二電極層Ｅ２の表面と当接し、かつ、端面３ｅと平行である基準面ＰＬ１と、電極部５ａの第二電極層Ｅ２の端縁Ｅ２ｅ１との、第三方向Ｄ３での間隔の最大値である。長さＬ１は、たとえば、２００〜１２００μｍである。本実施形態では、長さＬ１は、５００μｍである。長さＬ１は、基準面ＰＬ１と端縁Ｅ２ｅ１との第三方向Ｄ３での間隔の平均値であってもよい。長さＬ２は、たとえば、以下のように規定される。長さＬ２は、電極部５ａの第二電極層Ｅ２の表面と当接し、かつ、主面３ａと平行である基準面ＰＬ２と、電極部５ｅ（領域５ｅ２）の第二電極層Ｅ２の端縁Ｅ２ｅ２との、第一方向Ｄ１での間隔の最大値である。基準面ＰＬ２は、基準面ＰＬ１と直交している。長さＬ２は、たとえば、４００〜１５００μｍである。本実施形態では、長さＬ２は、８００μｍである。長さＬ２は、基準面ＰＬ２と端縁Ｅ２ｅ２との第一方向Ｄ１での間隔の平均値であってもよい。
【００５５】
第三方向Ｄ３において、第一電極層Ｅ１の端縁Ｅ１ｅは、電極部５ａの第二電極層Ｅ２における最大厚み位置Ｅ２ｍａｘよりも端面３ｅ寄りに位置している。電極部５ａの第二電極層Ｅ２は、主面３ａ上に位置している第一部分と、稜線部３ｇ（第一電極層Ｅ１）上に位置している第二部分とを含んでいる。本実施形態では、最大厚み位置Ｅ２ｍａｘは、第二電極層Ｅ２の第一部分に存在している。電極部５ａの第二電極層Ｅ２の厚みは、第一部分では、主面３ａに直交する方向での厚みである。第二部分では、電極部５ａの第二電極層Ｅ２の厚みは、稜線部３ｇ（湾曲面）の法線方向での厚みである。
【００５６】
第二電極層Ｅ２の第一部分での厚みは、最大厚み位置Ｅ２ｍａｘから第二部分に向けて徐々に小さくなっている。第二電極層Ｅ２の第一部分での厚みは、最大厚み位置Ｅ２ｍａｘから第二電極層Ｅ２の端縁Ｅ２ｅ１に向けて徐々に小さくなっている。電極部５ａの第二電極層Ｅ２での厚みの変化に起因して、第二電極層Ｅ２の表面は湾曲している。図５に示されるように、第三方向Ｄ３から見て、第二電極層Ｅ２の第一部分の厚みは、第二方向Ｄ２での端より第二方向Ｄ２での中央で大きくなっている。本実施形態では、第二電極層Ｅ２の第一部分の厚みは、第二方向Ｄ２での中央で最も大きく、第二方向Ｄ２で端に向かうに従って徐々に小さくなっている。
【００５７】
第二電極層Ｅ２の、最大厚み位置Ｅ２ｍａｘでの厚み、すなわち、電極部５ａの第二電極層Ｅ２の最大厚みは、３０μｍ以上である。本実施形態では、電極部５ａの第二電極層Ｅ２の最大厚みは、１００μｍである。電極部５ａの第二電極層Ｅ２の最大厚みは、電極部５ｅ（領域５ｅ２）の第二電極層Ｅ２の最大厚みより大きい。領域５ｅ２の第二電極層Ｅ２の厚みは、端面３ｅに直交する方向（第三方向Ｄ３）での厚みである。領域５ｅ２の第二電極層Ｅ２は、第二電極層Ｅ２の端面３ｅ上に位置する部分である。領域５ｅ２の第二電極層Ｅ２の最大厚みは、１５μｍ以上である。本実施形態では、領域５ｅ２の第二電極層Ｅ２の最大厚みは、５０μｍである。電極部５ａの第二電極層Ｅ２の最大厚みは、電極部５ｃ（領域５ｃ２）の第二電極層Ｅ２の最大厚みより大きい。領域５ｃ２の第二電極層Ｅ２の厚みは、側面３ｃに直交する方向（第二方向Ｄ２）での厚みである。領域５ｃ２の第二電極層Ｅ２は、第二電極層Ｅ２の側面３ｃ上に位置する部分である。領域５ｃ２の第二電極層Ｅ２の最大厚みは、５μｍ以上である。本実施形態では、領域５ｃ２の第二電極層Ｅ２の最大厚みは、１５μｍである。
【００５８】
図９に示されるように、第三方向Ｄ３での最大厚み位置Ｅ２ｍａｘから第二電極層Ｅ２の端縁Ｅ２ｅ１までの長さＬ３は、第三方向Ｄ３での最大厚み位置Ｅ２ｍａｘから第一電極層Ｅ１の端縁Ｅ１ｅまでの長さＬ４より大きい。長さＬ３は、たとえば、７５〜５００μｍである。本実施形態では、長さＬ３は、２００μｍである。長さＬ４は、たとえば、２５〜３００μｍである。本実施形態では、長さＬ４は、１００μｍである。
【００５９】
第二電極層Ｅ２の第一方向Ｄ１での長さＬ２は、第三方向Ｄ３での第一電極層Ｅ１の端縁Ｅ１ｅから第二電極層Ｅ２の端縁Ｅ２ｅ１までの長さＬ５より大きい。長さＬ５は、長さＬ３と長さＬ４との和である。したがって、本実施形態では、長さＬ５は、３００μｍである。
【００６０】
電極部５ｅ（領域５ｅ２）の第二電極層Ｅ２の面積は、第二電極層Ｅ２の第一部分の面積より大きい。電極部５ｅ（領域５ｅ２）の第二電極層Ｅ２は、上述したように、第二電極層Ｅ２の端面３ｅ上に位置している部分である。第二電極層Ｅ２の第一部分は、電極部５ａの第二電極層Ｅ２の、主面３ａ上に位置している部分である。電極部５ｅ（領域５ｅ２）の第二電極層Ｅ２の面積は、５０００００〜３７５００００μｍ２である。本実施形態では、電極部５ｅ（領域５ｅ２）の第二電極層Ｅ２の面積は、２００００００μｍ２である。第二電極層Ｅ２の第一部分の面積は、２５００００〜３００００００μｍ２である。本実施形態では、第二電極層Ｅ２の第一部分の面積は、１２５００００μｍ２である。
【００６１】
積層コンデンサＣ１が電子機器にはんだ実装されている場合、電子機器から積層コンデンサＣ１に作用する外力が、素体３に応力として作用することがある。この場合、素体３にクラックが発生するおそれがある。外力は、はんだ実装の際に形成されたはんだフィレットから外部電極５を通して素体３に作用する。外力は、素体３における、主面３ａの一部と端面３ｅの一部と一対の側面３ｃの各一部とで画成される領域に作用する傾向がある。積層コンデンサＣ１では、第二電極層Ｅ２（電極部５ａ，５ｃ，５ｅの第二電極層Ｅ２）は、主面３ａの一部、端面３ｅの一部、及び一対の側面３ｃの各一部を連続して覆うように形成されているので、電子機器から積層コンデンサＣ１に作用する外力が素体３に作用し難い。したがって、積層コンデンサＣ１では、素体３でのクラックの発生が抑制される。
【００６２】
素体３と第二電極層Ｅ２との間の領域は、水分が浸入する経路となるおそれがある。素体３と第二電極層Ｅ２との間の領域から水分が浸入すると、積層コンデンサＣ１の耐久性が低下する。積層コンデンサＣ１では、第二電極層Ｅ２が、端面３ｅ全体と一対の主面３ａ，３ｂの各一部と一対の側面３ｃの各一部とを連続して覆うように形成されている構成に比して、水分が浸入する経路が少ない。したがって、積層コンデンサＣ１では、耐湿信頼性が向上している。積層コンデンサＣ１では、第二電極層Ｅ２の第三方向Ｄ３での長さＬ１は、第二電極層Ｅ２の第一方向Ｄ１での長さＬ２より小さい。したがって、積層コンデンサＣ１では、長さＬ１が長さＬ２以上である構成に比して、水分が浸入する経路がより一層少ないので、耐湿信頼性がより一層向上している。
【００６３】
第三方向Ｄ３での最大厚み位置Ｅ２ｍａｘから第二電極層Ｅ２の端縁Ｅ２ｅ１までの長さＬ３は、第三方向Ｄ３での最大厚み位置Ｅ２ｍａｘから第一電極層Ｅ１の端縁Ｅ１ｅまでの長さＬ４より大きい。素体３に作用する応力は、第一電極層Ｅ１の端縁Ｅ１ｅに集中する傾向がある。長さＬ３が長さＬ４より大きい構成では、長さＬ３が長さＬ４以下である構成に比して、第二電極層Ｅ２の主面３ａ上に位置する部分の体積が大きい。したがって、積層コンデンサＣ１では、第一電極層Ｅ１の端縁Ｅ１ｅに集中する応力が低減される。この結果、クラックが素体３に発生するのがより一層抑制される。
【００６４】
第二電極層Ｅ２の端縁Ｅ２ｅ１に外力が作用する場合、第二電極層Ｅ２は、端縁Ｅ２ｅ１を起点として、素体３（主面３ａ）から剥がれるおそれがある。積層コンデンサＣ１では、電極部５ａの第二電極層Ｅ２の厚みが、最大厚み位置Ｅ２ｍａｘから第二電極層Ｅ２の端縁Ｅ２ｅ１に向けて徐々に小さくなっている。したがって、積層コンデンサＣ１では、第二電極層Ｅ２の厚みが一定である構成に比して、第二電極層Ｅ２の端縁Ｅ２ｅ１に外力が作用し難い。この結果、積層コンデンサＣ１では、第二電極層Ｅ２が素体３（主面３ａ）から剥がれ難い。
【００６５】
積層コンデンサＣ１では、第二電極層Ｅ２の第一方向Ｄ１での長さＬ２が、第三方向Ｄ３での第一電極層Ｅ１の端縁Ｅ１ｅから第二電極層Ｅ２の端縁Ｅ２ｅ１までの長さＬ５より大きい。長さＬ２が長さＬ５より大きい構成では、長さＬ２が長さＬ５以下の構成に比して、電極部５ｅに作用した外力が素体３に応力として作用することが抑制される。したがって、積層コンデンサＣ１では、クラックが素体３に発生するのがより一層抑制される。
【００６６】
積層コンデンサＣ１では、電極部５ｅ（領域５ｅ２）の第二電極層Ｅ２の面積は、第二電極層Ｅ２の第一部分の面積より大きい。領域５ｅ２の第二電極層Ｅ２の面積が第二電極層Ｅ２の第一部分の面積より大きい場合、領域５ｅ２の第二電極層Ｅ２の面積が第二電極層Ｅ２の第一部分の面積以下である構成に比して、電極部５ｅに作用した外力が素体３に応力として作用することが抑制される。したがって、積層コンデンサＣ１では、クラックが素体３に発生するのがより一層抑制される。
【００６７】
積層コンデンサＣ１では、電極部５ａの第二電極層Ｅ２の最大厚みが、領域５ｅ２の第二電極層Ｅ２の最大厚みより大きい。積層コンデンサＣ１では、電極部５ａの第二電極層Ｅ２の最大厚みが、領域５ｅ２の第二電極層Ｅ２の最大厚み以下である構成に比して、第一電極層Ｅ１の端縁Ｅ１ｅに集中する応力が低減される。したがって、積層コンデンサＣ１では、クラックが素体３に発生するのがより一層抑制される。
【００６８】
次に、図１０を参照して、積層コンデンサＣ１の実装構造を説明する。図１０は、本実施形態に係る積層コンデンサの実装構造を示す図である。
【００６９】
図１０に示されるように、電子部品装置ＥＣＤ１は、積層コンデンサＣ１と、電子機器ＥＤと、を備えている。電子機器ＥＤは、たとえば、回路基板又は電子部品である。積層コンデンサＣ１は、電子機器ＥＤにはんだ実装されている。電子機器ＥＤは、主面ＥＤａと、二つのパッド電極ＰＥ１，ＰＥ２とを有している。各パッド電極ＰＥ１，ＰＥ２は、主面ＥＤａに配置されている。二つのパッド電極ＰＥ１，ＰＥ２は、互いに離間している。積層コンデンサＣ１は、実装面である主面３ａと主面ＥＤａとが対向するように、電子機器ＥＤに配置されている。
【００７０】
積層コンデンサＣ１がはんだ実装される場合、溶融したはんだが外部電極５（第四電極層Ｅ４）を濡れ上がる。濡れ上がったはんだが固化することにより、外部電極５にはんだフィレットＳＦが形成される。対応する外部電極５とパッド電極ＰＥ１，ＰＥ２とは、はんだフィレットＳＦを介して連結されている。
【００７１】
はんだフィレットＳＦは、電極部５ｅの領域５ｅ１と領域５ｅ２とに形成されている。領域５ｅ２だけでなく、第二電極層Ｅ２を有していない領域５ｅ１が、はんだフィレットＳＦを介してパッド電極ＰＥ１，ＰＥ２と連結されている。第一方向Ｄ１から見たとき、はんだフィレットＳＦは、電極部５ｅの領域５ｅ１（領域５ｅ１が有する第一電極層Ｅ１）と重なっている。図示は省略するが、はんだフィレットＳＦは、電極部５ｃの領域５ｃ１と領域５ｃ２とにも形成されている。はんだフィレットＳＦの第三方向Ｄ３での高さは、第二電極層Ｅ２の第三方向Ｄ３での高さよりも高くなっている。はんだフィレットＳＦは、第三方向Ｄ３で第二電極層Ｅ２の端縁Ｅ２ｅ２よりも主面３ｂ寄りに延びている。
【００７２】
電子部品装置ＥＣＤ１では、上述したように、クラックが素体３に発生するのが抑制され、かつ、耐湿信頼性が向上している。電子部品装置ＥＣＤ１では、第一方向Ｄ１から見たとき、はんだフィレットＳＦは、電極部５ｅの領域５ｅ１と重なっているので、外部電極５が第二電極層Ｅ２を有する場合でも、ＥＳＲの増大が抑制されている。
【００７３】
以上、本発明の実施形態について説明してきたが、本発明は必ずしも上述した実施形態に限定されるものではなく、その要旨を逸脱しない範囲で様々な変更が可能である。
【００７４】
第一電極層Ｅ１は、端面３ｅから稜線部３ｇの全体又は一部を越えるように、主面３ａ上に形成されていてもよい。第一電極層Ｅ１は、端面３ｅから稜線部３ｈの全体又は一部を越えるように、主面３ｂ上に形成されていてもよい。第一電極層Ｅ１は、端面３ｅから稜線部３ｉの全体又は一部を越えるように、側面３ｃ上に形成されていてもよい。
【００７５】
積層コンデンサＣ１が備える各内部電極７，９の数は、図示されている各内部電極７，９の数に限られない。積層コンデンサＣ１では、一つの外部電極５（第一電極層Ｅ１）に接続されている内部電極の数は、一つでもよい。
【００７６】
本実施形態では、電子部品として積層コンデンサＣ１を例に説明したが、適用可能な電子部品は、積層コンデンサに限られない。適用可能な電子部品は、たとえば、積層インダクタ、積層バリスタ、積層圧電アクチュエータ、積層サーミスタ、もしくは積層複合部品などの積層電子部品、又は、積層電子部品以外の電子部品である。
【符号の説明】
【００７７】
３…素体、３ａ，３ｂ…主面、３ｃ…側面、３ｅ…端面、５…外部電極、５ａ，５ｂ，５ｃ，５ｅ…電極部、Ｃ１…積層コンデンサ、Ｄ１…第一方向、Ｄ２…第二方向、Ｄ３…第三方向、Ｅ１…第一電極層、Ｅ１ｅ…第一電極層の端縁、Ｅ２…第二電極層、Ｅ２ｅ１，Ｅ２ｅ２…第二電極層の端縁、Ｅ２ｍａｘ…第二電極層の最大厚み位置。
【図１】
2019134068.tif 000003
【図２】
2019134068.tif 000004
【図３】
2019134068.tif 000005
【図４】
2019134068.tif 000006
【図５】
2019134068.tif 000007
【図６】
2019134068.tif 000008
【図７】
2019134068.tif 000009
【図８】
2019134068.tif 000010
【図９】
2019134068.tif 000011
【図１０】
2019134068.tif 000012